(57)【特許請求の範囲】
【請求項１】
被固着対象面に固着されるロール状物品支持部及びロール状物品押え蓋部に近設されるロール状物品用巻取り切断装置であって、前記ロール状物品支持部の左右どちらか一方又は両方に近接して被固着対象面から突設されるアーム支持部と、当該アーム支持部の前記ロール状物品支持部側の側面にアーム接続部により支持されたアーム部と、前記ロール状物品押え蓋部の上面を押圧するように前記アーム部の一端からロール状物品押え蓋部側の方向へとロール状物品押え蓋部の上側空間に突出した棒状の押圧部と、前記アーム部の他端からロール状物品支持部側にロール状物品を巻取り可能に突設された巻取りレバーとを設けてなることを特徴とするロール状物品用巻取り切断装置。
【請求項２】
前記アーム支持部に、前記巻取りレバーがロール状物品と同程度の高さに維持された状態で、前記アーム部の巻取りレバーが垂下しないように前記アーム部の一端を衝止するアーム衝止部を設け、被固着対象面にロール状物品押え蓋部を上げた状態で支持する押え蓋支持部を設けてなることを特徴とする請求項１に記載のロール状物品用巻取り切断装置。
【請求項３】
被固着対象面に固着されるロール状物品支持部及びロール状物品押え蓋部に近設されるロール状物品用巻取り切断装置であって、当該ロール状物品支持部の側面の位置で、かつ前記被固着対象面から延設した近接横壁面にアーム接続部により支持されたアーム部と、前記ロール状物品押え蓋部の上面を押圧するように前記アーム部の一端からロール状物品押え蓋部側の方向へとロール状物品押え蓋部の上側空間に突出した棒状の押圧部と、前記アーム部の他端からロール状物品支持部側にロール状物品を巻取り可能に突設された巻取りレバーとを設けてなることを特徴とするロール状物品用巻取り切断装置。
【発明の詳細な説明】
【技術分野】
【０００１】
本発明は、一部の脆弱な老人或いは身体障害者等の片手が不自由な者であっても、ロール紙、トイレットペーパー、キッチンペーパー、アルミホイル又は食品包装用ラップフィルム等のロール状物品を片手で容易に巻取り、切断が可能となるロール状物品用巻取り切断装置に関する。
【背景技術】
【０００２】
一部の老人や身体障害者等の片手が不自由な者にとって、トイレットペーパー等のロール状物品の巻取り及び切断することは、ロール状物品から紙等を引き出して巻取る手及びロール状物品押え蓋を押える手の、原則両手を必要とすることから困難であった。そこで、従来、片手でトイレットペーパー等の巻き取り及び切断が可能な技術が提供されている。
【０００３】
例えば、切断刃に支点軸を取り付けてシーソー状態となるようにし、切断刃の奥の下部に、ペーパーの引き出しを固定するためのペーパー固定用押さえとスポンジ巻きローラーを取り付けることにより、トイレットペーパーの脱着を容易にすると共に、あらゆるロール型トイレットペーパーに対応でき、トイレットペーパー使用時の摘み出し及び片手のみでの切断が可能となるラクラクペーパーホルダーが提供されている（特許文献１）。
【０００４】
また、揺動アームを前方に倒すことでペーパー巻回用部材を使用位置に固定し、ロール体から引き出されたトイレットペーパーをペーパー巻回用部材に掛けまわす作業を数回繰り返した後、ロール体から引き出されたペーパーを紙押えによって破断することによって、片方の腕のみをどうにか動かせる人が、トイレットペーパーを束ねる作業を簡単に行なえるようにしたトイレットペーパー束ね用補助具が提供されている（特許文献２）。
【特許文献１】特開平１１−１２８１１３号公報
【特許文献２】特開２００４−２０９１６４号公報
【発明の開示】
【発明が解決しようとする課題】
【０００５】
しかしながら、特許文献１に記載の技術では、切断刃及びペーパー固定用押さえの間に支点軸を設けてシーソー状態に構成することにより、片手が不自由な老人或いは身体障害者であっても、もう一方の手でペーパーを切断することが可能となるものの、脆弱な老人或いは身体障害者では、ペーパー固定用押さえによるペーパーへの微弱な押圧により、ペーパーが滑って固定されずに片手では適切に切断できない場合もあった。また、ペーパーの巻取りについては考慮されておらず、片手が不自由な老人或いは身体障害者では、ペーパーを正確に巻取ることができずに団子状になってしまい、ペーパーの使用が困難になるという問題があった。
【０００６】
また、特許文献２に記載の技術では、ペーパーの巻取って束ねることが容易となるものの、片手が不自由な老人或いは身体障害者では、紙押えを他方の手で押えることができずに、ペーパーの破断が困難になるという問題があった。
【課題を解決するための手段】
【０００７】
上記課題を解決するために、本発明は次のように構成した。すなわち、本発明に係るロール状物品用巻取り切断装置は、被固着対象面に固着されるロール状物品支持部及びロール状物品押え蓋部に近設されるロール状物品用巻取り切断装置であって、前記ロール状物品支持部の左右どちらか一方又は両方に近接して被固着対象面から突設されるアーム支持部と、当該アーム支持部の前記ロール状物品支持部側の側面にアーム接続部により支持されたアーム部と、前記ロール状物品押え蓋部の上面を押圧するように前記アーム部の一端からロール状物品押え蓋部側の方向へとロール状物品押え蓋部の上側空間に突出した棒状の押圧部と、前記アーム部の他端からロール状物品支持部側にロール状物品を巻取り可能に突設された巻取りレバーとを設けてなることを特徴としている。
【０００８】
また、本発明に係るロール状物品用巻取り切断装置は、前記アーム支持部に、前記巻取りレバーがロール状物品と同程度の高さに維持された状態で、前記アーム部の巻取りレバーが垂下しないように前記アーム部の一端を衝止するアーム衝止部を設け、被固着対象面にロール状物品押え蓋部を上げた状態で支持する押え蓋支持部を設けてなることを特徴としている。
【０００９】
さらに、本発明に係るロール状物品巻取り装置は、被固着対象面に固着されるロール状物品支持部及びロール状物品押え蓋部に近設されるロール状物品用巻取り切断装置であって、当該ロール状物品支持部の側面の位置で、かつ前記被固着対象面から延設した近接横壁面にアーム接続部により支持されたアーム部と、前記ロール状物品押え蓋部の上面を押圧するように前記アーム部の一端からロール状物品押え蓋部側の方向へとロール状物品押え蓋部の上側空間に突出した棒状の押圧部と、前記アーム部の他端からロール状物品支持部側にロール状物品を巻取り可能に突設された巻取りレバーとを設けてなることを特徴としている。
【発明の効果】
【００１０】
本発明に係るロール状物品用巻取り切断装置によれば、ロール紙、トイレットペーパー、キッチンペーパー、アルミホイル又は食品包装用ラップフィルム等のロール状物品を、片手が不自由で脆弱な老人或いは身体障害者等であっても、片手で容易にロール状物品の巻取り及び切断が可能となる。
【００１１】
また、片手が不自由な老人或いは身体障害者等であっても、片手で容易にロール状物品の取替えが可能となる。
【発明を実施するための最良の形態】
【００１２】
〔実施例１〕
以下、図面に基づいて本発明を具体的に説明する。ここでは、ロール状物品の内、トイレットペーパーの巻取り及び切断について詳細に説明する。図１は、本発明に係るロール状物品用巻取り切断装置１の外観斜視図である。本発明に係るロール状物品用巻取り切断装置１は、壁面等の被固着対象面に固着されるロール状物品支持部２及び切断刃３ａを備えるロール状物品押え蓋部３に近設され、前記ロール状物品押え蓋部３の上面に設けられる押止部４、壁面等から突設されるアーム支持部５、前記アーム支持部５にアーム接続部６により支持されるアーム部７、アーム部７を衝止するアーム衝止部８、前記押止部４に係合するように前記アーム部７から突出して設けられた棒状の押圧部９及び前記アーム部７の先端内側に突出して設けられた巻取りレバー１０から構成される。
【００１３】
ロール状物品支持部２及び切断刃３ａを備えるロール状物品押え蓋部３は、一般家庭や商業ビル等のトイレで通常に見られるトイレットペーパーホルダーであり、被固着対象面であるトイレの壁面等に着設又は螺設等され、合成樹脂等で構成されている。また、ロール状物品用巻取り切断装置１が具備する押止部４、アーム支持部５、アーム接続部６、アーム部７、押圧部９及び巻取りレバー１０は、木材、合成樹脂又は金属等から構成される。
【００１４】
押止部４は、ロール状物品押え蓋部３の上面に、蓋幅と同程度の長さの棒状で横設され、該棒状の両端が角状に上方向に突出して形成される。また、押止部４の該角状突起部が、以下に説明するアーム部７からロール状物品押え蓋部３方向に突出して設けられた棒状の押圧部９と係合するように構成される。
【００１５】
また、該押止部４を設けずに、棒状の押圧部９が直接ロール状物品押え蓋部３の上面を押圧するように構成することもできる。その場合、該押圧部９のロール状物品押え蓋部３上面との接触面に滑止用及び損傷防止用の弾性クッション素材等を設けてもよく、また押圧部９の形状を、例えば、Ｌ字状、Ｊ字状の形状等、鍵状に構成してもよい。
【００１６】
アーム支持部５は、板状であって、ロール状物品支持部４の左側にトイレの壁面等から突設されて構成される。また、アーム支持部５には、アーム接続部６が軸通される接続孔５ａが形成されている。なお、接続孔５ａは、アーム部７に設けられた押圧部９がロール状物品押え蓋部３の上面を押圧可能な程度に、或いはロール状物品押え蓋部３に備えられた押止部４に係合可能な程度にアーム支持部５に設ければよく、アーム支持部５の一定の箇所に限定されるものではない。
【００１７】
アーム接続部６は、アーム支持部５に形成された接続孔５ａ及びアーム部７に形成された接続孔７ａを貫通して構成されることにより、アーム支持部５及びアーム部７を軸架するとともにナット等で固定される。これにより、アーム接続部６を支点としてアーム部７が回転可能に構成される。
【００１８】
アーム部７は、アーム支持部５の内側面に、アーム接続部６を支点に回転可能に軸着される。この時、より押圧部９側に近傍して接続孔７ａを設けることにより、アーム部７を上げる際に押圧部９に力が加わりやすく、脆弱な老人或いは身体障害者等でも容易にアーム部７を操作することができ、微力であっても押圧部９を係合させて押止部４或いはロール状物品押え蓋部３を十分に押圧することが可能となる。
【００１９】
また、アーム支持部５には、アーム部７のアーム接続部６から巻取りレバー１０側がその重みにより垂下しないように、アーム部７の押圧部９側を衝止するアーム衝止部８を設ける。これにより、アーム部７に設けられた巻取りレバー１０がトイレットペーパー１１と同程度の高さに維持され、片手での巻取りが容易となる。
【００２０】
アーム衝止部８は、板状に形成され、その底面がアーム支持部５の上端に固着されるとともに、その一部がロール状物品支持部２側に出るように構成されることにより、アーム衝止部８の底面でアーム部７を衝止する。また、アーム衝止部８は、ウレタン、スポンジ又はゴム等の弾性素材、木材、合成樹脂、金属等から構成される。なお、アーム衝止部８は、上記構成に限られるものではなく、アーム支持部５にアーム部７を衝止する突起物等を設けてもよく、アーム部７を衝止できる構造であれば何でもよい。
【００２１】
押圧部９は、上述の通り、アーム部７のアーム接続部６よりも壁面側にロール状押え蓋部３方向に突出して棒状に形成され、押止部４に係合するように構成される。アーム部７を矢印Ａ方向に上げることにより、押圧部９が矢印Ｂ方向に押止部４を押圧する。また、押止部４を設けずに直接ロール状物品押え蓋部３の上面を押圧するように構成する場合には、該押圧部９がロール状物品押え蓋部３を押圧できる程度の長さに突設し、該押圧部９のロール状物品押え蓋部３上面との接触面に滑止用及び損傷防止用の弾性クッション素材等を設けてもよく、また押圧部９の形状を、例えば、Ｌ字状、Ｊ字状の形状等、鍵状に構成してもよい。
【００２２】
巻取りレバー１０は、アーム部７の先端内側方向に、脆弱な老人或いは身体障害者等であっても把持し易く、腕力を出し易い太さでトイレットペーパー１１の幅に適合した長さの形状で構成される。トイレットペーパー１１をロール状物品支持部２から引き出した後、巻取りレバー１０の下側から巻き込むようにトイレットペーパー１１を巻取り、ロール状物品支持部２及び巻取りレバー１０の間に位置するトイレットペーパー１１の上面に上記巻取ったトイレットペーパー１１を重ねるように載せる。これにより、手が不自由で脆弱な老人或いは身体障害者等であっても、片手で容易にトイレットペーパー１１を巻取ることが可能となる。
【００２３】
そして、巻取りレバー１０にトイレットペーパー１１を巻取った後、巻取りレバー１０を矢印Ａ方向に持ち上げることにより、脆弱な老人或いは身体障害者等であっても押圧部９が下方に回転してロール状物品押え蓋３を押圧できるとともに、片手が不自由な老人或いは身体障害者等が巻取りレバー１０を矢印Ａ方向に持ち上げることにより、その張力で押圧部９で押圧されたトイレットペーパー１１が切断刃３ａで切断される。なお、切断刃３ａを設けずとも、切取り線が設けられているトイレットペーパー１１を使用するのであれば、巻取りレバー１０の持ち上げ時の張力により、ペーパーが切取り線から切断され、ペーパーに把持できる部分が切断刃３ａの下方に残るため、次にトイレットペーパー１１を巻き取る際に、片手での巻取りがより容易となる。
【００２４】
以上のように構成することにより、トイレットペーパー１１等のロール状物品を、片手が不自由で脆弱な老人或いは身体障害者等であっても、片手で容易にロール状物品の巻取り及び切断が可能となる。
【００２５】
図２は、アーム衝止部８のロール状物品押え蓋３側の側面に押え蓋支持部１２を設けた状態及びアーム部７を立てるようにアーム衝止部８に衝止した状態を示す図である。
【００２６】
押え蓋支持部１２は、ウレタン、スポンジ又はゴム等の弾性素材で構成され、ロール状物品押え蓋部３側に鍵状の窪みが形成される。そして、ロール状物品押え蓋部３を持ち上げた際に、該窪みに押止部４を係止して支持することにより、ロール状物品押え蓋部３が落ちることを防止する。なお、押え蓋支持部１２は、上記の弾性素材に限られるものではなく、クリップのように挟み込んで係止する等、押止部４を係止することができる構成であれば何でもよい。押止部４は、ロール状物品押え蓋部３を押止する以外に、押え蓋支持部１２に支持されることにより、ロール状物品押え蓋部３を上げた状態を維持するための機能をも有するものである。
【００２７】
また、押止部４を設けずに押圧部９が直接ロール状物品押え蓋部３の上面を押圧する構成を採用した場合であっても、押え蓋支持部１２は、ロール状物品押え蓋部３の押え蓋支持部１２側の縁部を係止することができ、上記と同様の効果を奏することができる。
【００２８】
これにより、ロール状物品押え蓋部３が上がっている状態を維持することが可能となり、片手が不自由な老人或いは身体障害者等であっても、片手でトイレットペーパー１１等のロール状物品を取り替えることが容易となる。
【００２９】
また、上記のアーム衝止部８にアーム部７を立てるように維持することにより、トイレットペーパー１１等を取り替える際にアーム部７及び巻取りレバー１０が邪魔にならず、片手が不自由な老人或いは身体障害者等であっても容易にトイレットペーパー１１等の取替えが可能となる。
【００３０】
図３は、本発明に係るロール状物品用巻取り切断装置１の使用状態を示す図である。片手が不自由で脆弱な老人或いは身体障害者は、ロール状物品支持部２にロール状で支持されているトイレットペーパー１１から片手でペーパーを引き出し、巻取りレバー１０の下側から巻き込むようにペーパーを掛けた後、引き出したペーパーの上面に、さらに引き出したペーパーを使用し易い状態に重ねて載せる。そして、巻取り重ねたペーパーとともに巻取りレバーを矢印Ａ方向に引き上げることにより、押圧部９がロール状物品押え蓋部３を押圧してトイレットペーパー１１がロール状物品押え蓋部３から引き出されるのを防止するとともに、巻取りレバー１０を引き上げた張力により、トイレットペーパー１１が切断刃３ａにより切断される。或いは、切断刃３ａを設けずとも、切取り線が設けられているトイレットペーパー１１を使用するのであれば、巻取りレバー１０の持ち上げ時の張力により、ペーパーが切取り線から切断され、ペーパーに把持できる部分が切断刃３ａの下方に残るため、次にトイレットペーパー１１を巻き取る際に、片手での巻取りがより容易となる。
【００３１】
〔実施例２〕
次に、実施例２のロール状物品用巻取り切断装置１について説明する。図４は、実施例２のロール状物品用巻取り切断装置１の外観斜視図である。実施例１のロール状物品巻取り切断装置１との構成上の差異は、主に、アーム支持部５、アーム接続部６、アーム部７、押圧部９及び巻取りレバー１０に係るものであり、以下に詳細に説明する。
【００３２】
アーム接続部６は、アーム支持部５の側面に形成されたレール状の凹部と、該凹部に嵌合するようにアーム部７に形成された凸部とからなり、該アーム部７がアーム部支持部５から離脱することなく、且つ該レール上を上下に摺動可能に構成されてなる。なお、アーム支持部５及びアーム部７のどちらに凸部或いは凹部を設けてもよく、またレール状に構成せずとも摺動可能に接続できればどのような構成であってもよい。
【００３３】
ここで、アーム部７には、アーム支持部５方向に開口した凹陥部が設けられ、スプリング等の弾性体７ｂがアーム支持部５から水平方向に突出した突起部５ａ上に該弾性体７ｂの底端部が固着された状態で内蔵されている。そのため、アーム部７を下方向に摺動させると、アーム部７の凹陥部内上面が該凹陥部に内蔵された弾性体７ｂに接触し、アーム部７が下方向に摺動するのをペーパー切断に適度な位置で停止させるとともに、アーム部７を手から離すと、アーム部７が弾性体７ｂの弾性力により自動的に上方向に摺動し元の位置に戻る。
【００３４】
また、該弾性体７ｂの構成を、弾性体７ｂよりやや直径の小さい筒状体に弾性体７ｂを被嵌するとともに、該凹陥部内上面に該筒状体が嵌合する程度の孔を設け、アーム部７が下方向に摺動されると、該筒状体が該孔に嵌め込まれるが、該弾性体７ｂは該孔の開口部の外周に衝突するように構成することもできる。例えば、ボールペンの芯の射出部に似た構造であって、単に弾性体７ｂを設けるに比して、アーム部７の摺動時における弾性体７ｂの安定性が増す。
【００３５】
押圧部９は、アーム部７上端の内側方向に突設され、実施例１と同様に押止部４と係合するものであるが、実施例１のようにテコの原理で押えるのではなく、アーム部７の下方向への摺動と連動して押止部４を係合して押圧する。また、実施例１と同様に押止部４を設けずとも、直接ロール状物品押え蓋部３を押圧するように構成することもでき、ロール状物品押え蓋部３を押圧可能な程度の長さに突設し、該押圧部９のロール状物品押え蓋部３上面との接触面に滑止用及び損傷防止用の弾性クッション素材等を設けてもよく、また押圧部９の形状を、例えば、Ｌ字状、Ｊ字状の形状等、鍵状に構成してもよい。
【００３６】
巻取りレバー１０は、アーム部７の下端に内側方向に突設される。使用者は、該巻取りレバー１０に実施例１と同様の方法でトイレットペーパー１１を巻取った後、該巻取りレバー１０を下方向に引くことにより、一旦押圧部９がロール状物品押え蓋部３を押圧してトイレットペーパー１１の巻取りを制止し、その後、スプリング等の弾性体７ｂの反発力に対してさらに下方向に該巻き取りレバー１０を引くことにより、切断刃３ａ或いはトイレットペーパー１１に設けられた切り取り線からトイレットペーパー１１が切断される。
【００３７】
以上のように、実施例２ではアーム部７の構成に上下スライド方式を採用することにより、アーム部７が前方に突出していない分、実施例１に比して省スペース化を図ることができる。すなわち、通常障害者用トイレ等は、車椅子等の出入りを考慮して広く設計されているために、実施例１のロール状物品用巻取り切断装置をトイレ内に設置することは容易であるが、一方、実施例２のロール状物品用巻取り切断装置１は、駅或いは公衆トイレ等の比較的狭いトイレにおいても有効に活用することができる。
【００３８】
実施例２のロール状物品用巻取り切断装置１にも、実施例１と同様に、アーム部７の下端を衝止するためにアーム衝止部８を設けてもよく、また、トイレットペーパー１１を交換する容易性を勘案すれば押え蓋支持部１２を設けてもよい。
【００３９】
この場合、アーム衝止部８は、アーム支持部５の底面との接触面奥側に弁軸を具備した弁構造に構成され、平常時においてアーム部７が自動的に下方向へ摺動するのを抑止するとともに、使用者がアーム部７に下方向への力を加えた場合には、弁軸からアーム衝止部８が下方向に回転し、アーム部７を下方向へと摺動させる。また、押え蓋支持部１２は、該押え蓋支持部１２に構成された窪みに押止部４を嵌め込み、或いは直接ロール状物品押え蓋部３の縁部を係止することで、ロール状物品押え蓋部３を持ち上げた状態を維持することができ、トイレットペーパー１１の交換を容易にする。
【００４０】
上記実施例のロール状物品用巻取り切断装置１では、ロール状物品としてトイレットペーパー１１を用いて説明したが、本発明に係るロール状物品用巻取り切断装置１は、ロール紙、キッチンペーパー、アルミホイル又は食品包装用ラップフィルム等、ロール状物品であれば何でも使用することが可能である。
【００４１】
また、上記実施例のロール状物品用巻取り切断装置１は、アーム支持部５、アーム接続部６、アーム部７、押圧部９及び巻取りレバー１０等が、ロール状物品支持部２の左側に設けられたが、使用者の利き手やトイレットペーパーホルダーの設置位置等を考慮して、右側に設けてもよいし、図５に示したように、どちらが利き手であっても利用できるように左右両側に設けてもよい。
【００４２】
また、上記実施例のロール状物品用巻取り切断装置１では、アーム支持部５を設けたが、例えば、トイレットペーパーホルダーをトイレの隅角の壁面に設置した場合には、アーム支持部５を設ける必要はなく、横壁面としての被固着対象面に直接、アーム接続部６、アーム部７、アーム衝止部８、押え蓋支持部１２を設ければよい。
【００４３】
さらに、上記実施例のロール状物品用巻取り切断装置１では、ロール状物品支持部２及びロール状物品押え蓋部３が被固着対象面として壁面に固着されていたが、例えば、寝たきりの老人等が利用するベッドの傍に簡易トイレが設置されていた場合には、該ロール状物品巻取り切断装置１を該簡易トイレ傍の床面、土台或いは部屋の壁面等に固定してもよい。すなわち、本願発明のロール状物品用巻取り切断装置１の利用意図に応じて、自由な場所に設置固着することができる。また、図６に示すように、自由に移動可能な板状の固定部材１３にロール状物品支持部２及びロール状物品押え蓋部３を固定させ、該固定部材１３からアーム支持部５を突設等することにより、ロール状物品用巻取り切断装置１を持ち運び可能に構成することができ、また、該固定部材１３の底面に支持部材１４を設けることにより、該ロール状物品用巻取り切断装置１が傾斜しないよう支持することができる。また、図６に示したような取っ手１５を設けてもよい。
【産業上の利用可能性】
【００４４】
本発明に係るロール状物品用巻取り切断装置１は、トイレットペーパーに使用する場合には、既にトイレットペーパーホルダーが設置されている一般家庭や介護施設等のトイレの壁面に後付けすることが可能である。
【００４５】
また、ロール紙、キッチンペーパー、アルミホイル又は食品包装用ラップフィルム等に使用する場合には、夫々ロール状物品のサイズに適合したロール状物品支持部２及びロール状物品押え蓋部３を台所等の壁面や収納部の戸に設置することにより、本発明に係るロール状物品用巻取り切断装置１の使用が可能となる。また、図７で示したように、ロール状物品支持部２及びロール状物品押え蓋部３に溝を設けた多層構造とすることでスライド可能な構成とし、ネジ等で固定することにより、夫々ロール状物品のサイズに調整可能な態様としてもよい。また、巻取りレバー１０も、夫々ロール状物品の幅に適合した長さで構成され、或いは、巻取りレバー１０の外径を覆う筒をスライドさせてネジ等で固定することにより、夫々ロール状物品のサイズに調整可能な態様としてもよい。
【図面の簡単な説明】
【００４６】
【図１】本発明に係るロール状物品用巻取り切断装置の外観斜視図である。
【図２】押え蓋支持部にロール状物品押え蓋部を係止させた状態及びアーム部を立てるようにアーム衝止部に衝止した状態を示す外観斜視図である。
【図３】ロール状物品用巻取り切断装置の使用状態を示す図である。
【図４】実施例２に係るロール状物品用巻取り切断装置の外観斜視図である。
【図５】ロール状物品用巻取り切断装置の他の実施例を説明する図である。
【図６】ロール状物品用巻取り切断装置の他の実施例を説明する図である。
【図７】ロール状物品用巻取り切断装置の他の実施例を説明する図である。
【符号の説明】
【００４７】
１    ロール状物品用巻取り切断装置
２    ロール状物品支持部
３    ロール状物品押え蓋部
３ａ  切断刃
４    押止部
５    アーム支持部
５ａ  接続孔
６    アーム接続部
７    アーム部
７ａ  接続孔
８    アーム衝止部
９    押圧部
１０  巻取りレバー
１１  トイレットペーパー
１２  押え蓋支持部
１３  固定部材
１４  支持部材
１５  取っ手
Ａ    矢印
Ｂ    矢印
【図１】
0004774540.tif 000002
【図２】
0004774540.tif 000003
【図３】
0004774540.tif 000004
【図４】
0004774540.tif 000005
【図５】
0004774540.tif 000006
【図６】
0004774540.tif 000007
【図７】
0004774540.tif 000008